(57)【要約】【課題】メディアに画像データを記録した場合に、プリント注文を所望する画像データを簡易に探し出せるようにする。【解決手段】現像済みネガフイルムＮ１から画像データＳｉを読み取ってメディアＭに記録する。メディアＭには、メディアを特定するメディアＩＤをプリントする。サムネイル画像保管サーバ１４が画像データＳｉのサムネイル画像データＳＭｉを生成し、画像データＳｉを記録したメディアＭのメディアＩＤと関連付けてサムネイル画像データＳＭｉをユーザ毎に分類して保管する。注文受付装置４０からユーザＩＤが入力されると、ユーザＩＤに対応するサムネイル画像の一覧をモニタ２１に表示する。各サムネイル画像にはサムネイル画像データＳＭｉを得た画像データＳｉが記録されたメディアＭのメディアＩＤが対応付けられて表示される。【選択図】          図１
2004287772.tif 000002
【特許請求の範囲】
【請求項１】
画像データを可搬型のメディアに記録する画像記録手段と、
該メディアを特定するメディアＩＤを、視認可能に該メディアにプリントするメディアＩＤプリント手段と、
前記画像データの低解像度画像データを生成する低解像度画像生成手段と、
前記低解像度画像データを、該低解像度画像データを生成した画像データを記録したメディアのメディアＩＤおよび前記画像データの前記メディアへの記録を依頼したユーザを特定するユーザＩＤと関連付けて保管する低解像度画像保管手段と、
ユーザＩＤの入力を受け付けるユーザＩＤ入力手段と、
該入力されたユーザＩＤが関連付けられた低解像度画像データの前記メディアＩＤと対応付けた一覧を再生する再生手段とをさらに備えたことを特徴とする画像記録システム。
【請求項２】
複数の前記メディアを出し入れ可能に保持するメディア保持手段と、
前記メディアに記録された画像データを読み出すメディアドライブと、
前記一覧から選択された所望とする低解像度画像データの指定を受け付ける指定受け付け手段と、
前記メディア保持手段に保持された前記複数のメディアのそれぞれにプリントされたメディアＩＤを読み取ってメディアＩＤを認識するメディアＩＤ認識手段と、
前記指定された低解像度画像データに関連付けられたメディアＩＤおよび前記メディアＩＤ認識手段による認識結果を参照して、前記指定された低解像度画像データに対応する画像データが記録されたメディアを前記メディア保持手段から取り出して、前記メディアドライブにセットするメディアセット手段とをさらに備えたことを特徴とする請求項１記載の画像記録装置。
【発明の詳細な説明】
【０００１】
【発明の属する技術分野】
本発明は、フイルムロールに記録された画像を読み取ることにより得られた画像データやデジタルカメラにより取得した画像データを、ＣＤ−ＲやＤＶＤ−Ｒ等の可搬型のメディアに記録する画像記録システムに関するものである。
【０００２】
【従来の技術】
ネガフイルムに記録された画像をスキャナ等の読取装置により読み取ることにより取得された画像データや、デジタルカメラにより取得した画像データをＣＤ−Ｒ、ＤＶＤ−Ｒ等の可搬型のメディアに記録したり、プリント出力するフォトサービスシステムが提案されている（例えば特許文献１，２等参照）。このようなフォトサービスシステムにおいては、ユーザが同時プリントを依頼したネガフイルムについて、フォトサービスを提供する写真店において、現像済みのネガフイルムから画像を読み取って複数の画像データを得てメディアに記録し、同時プリントを依頼したユーザにメディアを提供している。
【０００３】
ユーザは、写真店からメディアを受け取った後、焼き増し注文を行う場合には、写真店に設置された注文受付装置にメディアをセットし、メディアに記録された画像の一覧を注文受付装置の表示画面に表示し、表示された一覧から焼き増し注文する画像データを選択することにより、焼き増し注文を行うことができる。また、ユーザが自宅のパソコンにメディアをセットし、メディアから焼き増し注文を行う画像データを読み出して、写真店にその画像データを送信することによっても、写真店に焼き増し注文を行うこともできる。
【０００４】
【特許文献１】
特開平１０−１５０５３８号公報
【０００５】
【特許文献２】
特開平１０−１５０５４１号公報
【０００６】
【特許文献３】
【０００７】
【発明が解決しようとする課題】
しかしながら、受け取ったメディアが増えてくると、写真店において焼き増しの注文を行うためには、焼き増しを所望する画像が見つかるまで、メディアを注文受付装置にセットしてメディアに記録された画像の一覧を表示する作業を繰り返す必要があるため、焼き増し注文の作業が非常に煩雑なものとなる。なお、メディアに記録された画像データのサムネイル画像の一覧をプリントアウトしたインデックスプリントをメディアとともにユーザに渡すことにより、焼き増し注文を所望する画像データを記録したメディアを探すことは容易となる。しかしながら、インデックスプリントを無くしてしまったり、メディアとインデックスプリントとを対応付けて保管していないと、やはり焼き増し注文を所望する画像データを探し出すためには、メディアを注文受付装置にセットしてメディアに記録された画像の一覧を表示する作業を繰り返す必要がある。この作業は、ユーザが自宅のパソコンにおいて焼き増し注文を行う場合においても同様に行う必要がある。
【０００８】
本発明は上記事情に鑑みなされたものであり、メディアに画像データを記録した場合に、プリント注文を所望する画像データを簡易に探し出せるようにすることを目的とする。
【０００９】
【課題を解決するための手段】
本発明による画像記録システムは、画像データを可搬型のメディアに記録する画像記録手段と、
該メディアを特定するメディアＩＤを、視認可能に該メディアにプリントするメディアＩＤプリント手段と、
前記画像データの低解像度画像データを生成する低解像度画像生成手段と、
前記低解像度画像データを、該低解像度画像データを生成した画像データを記録したメディアのメディアＩＤおよび前記画像データの前記メディアへの記録を依頼したユーザを特定するユーザＩＤと関連付けて保管する低解像度画像保管手段と、
ユーザＩＤの入力を受け付けるユーザＩＤ入力手段と、
該入力されたユーザＩＤが関連付けられた低解像度画像データの前記メディアＩＤと対応付けた一覧を再生する再生手段とをさらに備えたことを特徴とするものである。
【００１０】
「メディアＩＤ」としては、数値や記号の組み合わせやバーコード等を用いることができる。なお、メディアＩＤのプリントは、メディアにおける画像データを記録する面とは異なる面に行われる。
【００１１】
「再生手段」は、低解像度画像データの一覧をメディアＩＤとともにモニタ等に表示する手段や、プリント出力する手段のいずれであってもよい。
【００１２】
なお、本発明による画像記録システムにおいては、複数の前記メディアを出し入れ可能に保持するメディア保持手段と、
前記メディアに記録された画像データを読み出すメディアドライブと、
前記一覧から選択された所望とする低解像度画像データの指定を受け付ける指定受け付け手段と、
前記メディア保持手段に保持された前記複数のメディアのそれぞれにプリントされたメディアＩＤを読み取ってメディアＩＤを認識するメディアＩＤ認識手段と、
前記指定された低解像度画像データに関連付けられたメディアＩＤおよび前記メディアＩＤ認識手段による認識結果を参照して、前記指定された低解像度画像データに対応する画像データが記録されたメディアを前記メディア保持手段から取り出して、前記メディアドライブにセットするメディアセット手段とをさらに備えるようにしてもよい。
【００１３】
【発明の効果】
本発明によれば、メディアに記録した画像データの低解像度画像データをメディアＩＤおよびユーザＩＤと関連付けて保管し、ユーザＩＤの入力を受け付けると、ユーザＩＤと関連付けられた低解像度画像データのメディアＩＤと対応付けた一覧を再生しているため、再生された低解像度画像データの一覧を見れば、プリント注文を所望する画像データがどのメディアＩＤのメディアに記録されているかを容易に知ることができる。したがって、プリント注文を所望する画像データを探し出すために、メディアを交換して画像の一覧を表示させる作業を繰り返す必要がなくなり、その結果、プリント注文を容易に行うことができる。
【００１４】
また、複数のメディアをメディア保持手段に保持しておき、複数のメディアのそれぞれに記録されたメディアＩＤを読み取ってメディアＩＤを認識し、指定された所望とする低解像度画像データに関連付けられたメディアＩＤおよびメディアＩＤ認識手段による認識結果を参照して、指定された低解像度画像データに対応する画像データが記録されたメディアをメディア保持手段から取り出してメディアドライブにセットするようにすれば、プリント注文時にメディアをメディアドライブにセットする作業を繰り返す必要がなくなるため、より容易にプリント注文を行うことができる。
【００１５】
【発明の実施の形態】
以下図面を参照して本発明の実施形態について説明する。図１は本発明の実施形態による画像記録システムの構成を示す概略ブロック図である。図１に示すように、本実施形態による画像記録システムは、写真店１が提供するものであり、ユーザが写真店１に同時プリントを依頼した撮影済みのネガフイルムＮ０を現像するフイルム現像機１１と、現像済みのネガフイルムＮ１に記録された複数の画像を読み取って複数の画像データＳｉ（ｉ＝１〜ｎ）を得るデジタルミニラボ１２と、複数の画像データＳｉを保管する画像保管サーバ１３と、画像保管サーバ１３に保管された画像データＳｉのサムネイル画像を表すサムネイル画像データを保管するサムネイル画像保管サーバ１４と、画像データＳｉを、ＣＤ−Ｒ、ＤＶＤ−Ｒ等のメディアＭに記録するメディアドライブ１５と、画像データＳｉを記録したメディアＭに、メディアＭを特定するためのメディアＩＤをプリントするＩＤプリンタ１６と、写真店１の店頭に設置された注文受付装置２０とを備える。
【００１６】
なお、ＩＤプリンタ１６がメディアＩＤプリント手段に、サムネイル画像保管サーバ１４が低解像度画像生成手段および低解像度画像保管手段に、注文受付装置２０がユーザＩＤ入力手段および再生手段にそれぞれ対応する。
【００１７】
デジタルミニラボ１２は、現像済みのネガフイルムＮ１に記録された複数の画像を読み取って複数の画像データＳｉを得るスキャナ１２Ａおよび画像データＳｉをプリント出力してプリントＰを得るプリンタ１２Ｂを備える。なお、デジタルミニラボ１２は、画像を読み取ったネガフイルムＮ１を特定するためのフイルムロールＩＤを発行し、これを画像データＳｉとともに画像保管サーバ１３へ送信する。本実施形態においては、フイルムロール単位で画像データＳｉをメディアＭに記録しているため、このフイルムロールＩＤがメディアＩＤとなる。
【００１８】
画像保管サーバ１３は、デジタルミニラボ１２が送信した画像データＳｉおよびフイルムロールＩＤすなわちメディアＩＤを保管するとともに、サムネイル画像保管サーバ１４に画像データＳｉおよびメディアＩＤを、メディアドライブ１５に画像データＳｉを、ＩＤプリンタ１６にメディアＩＤを送信する。また、後述するように、注文受付装置２０においてユーザが焼き増し注文した画像データをデジタルミニラボ１２に送信して、デジタルミニラボ１２のプリンタ１２Ｂにプリント出力を行わせる。
【００１９】
なお、同時プリントを依頼したユーザは写真店１にユーザ登録をしており、写真店１からユーザに対してユーザＩＤが発行されている。このため、画像保管サーバ１３は、画像データＳｉの保管時に、写真店１のオペレータによるユーザＩＤの入力を受け付けてユーザＩＤ毎にフォルダを作成し、画像データＳｉをユーザ毎に分類して保管している。なお、ユーザＩＤに対応するフォルダが既に生成されている場合には、画像保管サーバ１３は、画像データＳｉをそのフォルダに直ちに保管する。
【００２０】
メディアドライブ１５は、画像保管サーバ１３が送信した画像データＳｉをメディアＭに記録する。
【００２１】
サムネイル画像保管サーバ１４は、画像保管サーバ１３が送信した画像データＳｉの画素を間引く、補間演算を施す等により画像データＳｉを縮小して画像データＳｉにより表される画像よりも低解像度のサムネイル画像を表すサムネイル画像データＳＭｉを生成する。そして、生成されたサムネイル画像データＳＭｉのそれぞれのタグ情報に、サムネイル画像データＳＭｉを生成した画像データＳｉを記録したメディアＭのメディアＩＤ（すなわち、画像データＳｉを読み取ったネガフイルムＮ１のフイルムロールＩＤ）を記述してサムネイル画像データＳＭｉを保管する。なお、サムネイル画像保管サーバ１４は、画像保管サーバ１３と同様にユーザＩＤ毎にフォルダを作成して、サムネイル画像データＳＭｉをユーザ毎に分類して保管する。
【００２２】
ＩＤプリンタ１６は、メディアＭにおける画像データＳｉを記録する側と反対側の面（以下表面とする）に、サービスを提供する会社のサービス名および記録した画像データＳｉを読み取ったフイルムのフイルムロールＩＤをメディアＩＤとしてプリントする。図２はメディアＩＤをプリントしたメディアＭの例を示す図である。図２に示すように、メディアＭの表面にはサービスを提供する会社のサービス名である「ＦＵＪＩＣＯＬＯＲ−ＣＤ」およびメディアＩＤである「ＩＤ＝１２３４５６」がプリントされる。
【００２３】
注文受付装置２０は写真店１の店外に設置されており、写真店１内のサムネイル画像保管サーバ１４および画像保管サーバ１３と接続されている。注文受付装置２０は、種々の表示を行うモニタ２１と、メディアＭを装填するメディアドライブ２２とを備える。なお、モニタ２１はタッチパネルとなっており、注文受付装置２０に対する種々の指示をモニタ２１の表示をタッチすることにより行うことが可能となっている。
【００２４】
そして、ユーザは、注文受付装置２０からユーザＩＤを入力することにより、サムネイル画像保管サーバ１４におけるユーザＩＤに対応するフォルダに保管されたサムネイル画像データＳＭｉの一覧をモニタ２１に表示することができる。なお、注文受付装置２０は、サムネイル画像の一覧をモニタ２１に表示する際に、各サムネイル画像データＳＭｉのタグ情報に記述されたメディアＩＤを読み出し、メディアＩＤをサムネイル画像の一覧に含めてモニタ２１に表示する。
【００２５】
図３はモニタ２１に表示されるサムネイル画像の一覧を示す図である。図３に示すように、モニタ２１には、ユーザＩＤ３１（ここではＵ００１２３）と、サムネイル画像の一覧３２が表示され、各サムネイル画像の下方にメディアＩＤが表示される。ユーザはサムネイル画像の一覧におけるメディアＩＤを参照することにより、どの画像がどのメディアＭに記録されているかを知ることができる。
【００２６】
次いで、本実施形態において行われる処理について説明する。図４は本実施形態において同時プリント時に行われる処理を示すフローチャートである。まず、フイルム現像機１１がユーザが同時プリントを依頼したネガフイルムＮ０を現像して現像済みのネガフイルムＮ１を得る（ステップＳ１）。続いて、デジタルミニラボ１２のスキャナ１２Ａが、ネガフイルムＮ１に記録された複数の画像を読み取って、各画像をそれぞれ表す複数の画像データＳｉを得る（ステップＳ２）。複数の画像データＳｉはプリンタ１２Ｂに入力され、プリンタ１２Ｂが画像データＳｉのプリント出力を行ってプリントＰを得る（ステップＳ３）。
【００２７】
一方、複数の画像データＳｉは、フイルムロールＩＤすなわちメディアＩＤと対応付けられて画像保管サーバ１３に送信され、画像保管サーバ１３が複数の画像データＳｉを保管する（ステップＳ４）。また、画像保管サーバ１３は画像データＳｉをメディアドライブ１５に送信し、メディアドライブ１５が画像データＳｉをメディアＭに記録する（ステップＳ５）。そして、ＩＤプリンタ６がメディアＭの表面にメディアＩＤをプリントする（ステップＳ６）。メディアＭはプリントＰとともにユーザに渡される。
【００２８】
また、画像保管サーバ１３は画像データＳｉおよびメディアＩＤをサムネイル画像保管サーバ１４に送信し、サムネイル画像保管サーバ１４がサムネイル画像データＳＭｉを生成し（ステップＳ７）、さらにサムネイル画像データＳＭｉのタグ情報にメディアＩＤを記述し（ステップＳ８）、ユーザ毎に作成されたフォルダにサムネイル画像データＳＭｉを保管し（ステップＳ９）、処理を終了する。なお、ステップＳ５，Ｓ６の処理とステップＳ７〜Ｓ９の処理とはいずれを先に行ってもよく、並列に行ってもよい。
【００２９】
図５は本実施形態において焼き増し注文時に行われる処理を示すフローチャートである。まず、注文受付装置２０がユーザによるユーザＩＤの入力を受け付ける（ステップＳ１１）。サムネイル画像保管サーバ１４は、注文受付装置２０に入力されたユーザＩＤに対応するユーザのフォルダからサムネイル画像データＳＭｉを読み出してサムネイル画像の一覧を生成する（ステップＳ１２）。注文受付装置２０はサムネイル画像の一覧をモニタ２１に表示する（ステップＳ１３）。
【００３０】
ユーザはサムネイル画像の一覧を見ながら、焼き増し注文を所望する画像データを選択する。ここで、サムネイル画像の一覧に含まれる各サムネイル画像の下方にはメディアＩＤが表示されているため、ユーザは焼き増し注文を所望する画像データがどのメディアＭに記録されているかを容易に知ることができる。そして、注文受付装置２０は、ユーザによる焼き増し注文を所望する画像データの選択および選択された画像データを記録したメディアＭのメディアドライブ２２への装填を受け付けたか否かの監視を開始し（ステップＳ１４）、ステップＳ１４が肯定されると、メディアドライブ２２によりメディアＭから選択された画像データを読み出して、画像保管サーバ１３経由でデジタルミニラボ１２に送信する（ステップＳ１５）。デジタルミニラボ１２は受信した画像データをプリンタ１２Ｂからプリント出力する（ステップＳ１６）。そして、他にも選択された画像データがあるか否かを判定し（ステップＳ１７）、ステップＳ１７が肯定されるとステップＳ１４に戻り、ステップＳ１４以降の処理を繰り返す。ステップＳ１７が否定されると処理を終了する。
【００３１】
このように、本実施形態によれば、画像データＳｉから生成したサムネイル画像データＳＭｉのタグ情報にメディアＩＤを記述しておき、注文受付装置２０においてユーザＩＤの入力を受け付けると、図３に示すように、各サムネイル画像データＳＭｉを得た画像データＳｉを記録したメディアＭのメディアＩＤを含むサムネイル画像の一覧を生成してモニタ２１に表示しているため、サムネイル画像の一覧を見れば、プリント注文を所望する画像データＳｉがどのメディアＩＤのメディアＭに記録されているかを容易に知ることができる。したがって、プリント注文を所望する画像データを探し出すために、メディアＭを交換して画像の一覧を表示させる作業を繰り返す必要がなくなり、その結果、プリント注文を容易に行うことができる。
【００３２】
なお、上記実施形態においては、注文受付装置２０のモニタ２１にサムネイル画像の一覧を表示しているが、注文受付装置２０にプリンタ機能を持たせて、サムネイル画像の一覧をプリント出力してもよい。ユーザはプリント出力されたサムネイル画像の一覧を参照することにより、プリント注文を所望する画像データＳｉがどのメディアＩＤのメディアＭに記録されているかを容易に知ることができる。
【００３３】
また、上記実施形態においては、サムネイル画像データＳＭｉのタグ情報にメディアＩＤを記述することにより、サムネイル画像データＳＭｉとメディアＩＤとを関連付けているが、図６に示すように、ユーザＩＤ毎に作成されたフォルダの下層にメディアＩＤをフォルダ名とするフォルダを生成し、サムネイル画像データＳＭｉを得た画像データＳｉが記録されているメディアＭのメディアＩＤと対応付けて、サムネイル画像データＳＭｉをサムネイル画像保管サーバ１４に保管してもよい。この場合、サムネイル画像の一覧を表示するためには、サムネイル画像データＳＭｉが保管されているフォルダ名を、各サムネイル画像の下方に表示すればよい。
【００３４】
次いで、本発明の第２の実施形態について説明する。第２の実施形態における画像記録システムは、注文受付装置の構成が第１の実施形態と異なるのみであるため、注文受付装置についてのみ説明する。図７は、本発明の第２の実施形態における画像記録システムに用いられる注文受付装置の構成を示す概略ブロック図である。図７に示すように、第２の実施形態に用いられる注文受付装置４０は、モニタ４１およびメディアドライブ４２に加えて、複数のメディアＭをセットするメディア保持手段４３と、メディア保持手段４３にセットされたメディアＭにプリントされたメディアＩＤを読み取って認識するメディアＩＤ認識手段４４と、メディア保持手段４３からユーザが選択したメディアＭを取り出してメディアドライブ４２にセットするメディアセット手段４５とを備える。
【００３５】
モニタ４１は上記第１の実施形態と同様にタッチパネルとなっており、ユーザがモニタ４１の表示にタッチすることにより種々の入力を受け付ける。
【００３６】
なお、モニタ４１のタッチパネルが指定受け付け手段に対応する。
【００３７】
メディアＩＤ認識手段４４は、メディア保持手段４３にセットされた全てのメディアＭにプリントされたメディアＩＤを読み取るとともに文字認識して、認識結果を一時的に記憶する。
【００３８】
次いで、第２の実施形態において焼き増し注文時に行われる処理について説明する。図８は第２の実施形態において焼き増し注文時に行われる処理を示すフローチャートである。なお、ユーザは複数のメディアＭをメディア保持手段４３にセットしているものとする。まず、注文受付装置４０がユーザによるメディアＩＤの読み取り指示を受け付ける（ステップＳ３１）。メディアＩＤ認識手段４４は、メディア保持手段４３にセットされた全てのメディアＭのメディアＩＤを読み取る（ステップＳ３２）。メディアＩＤ認識手段４４は読み取ったＩＤの文字認識を行い（ステップＳ３３）、認識結果を一時的に記憶する（ステップＳ３４）。
【００３９】
さらに、注文受付装置４０はユーザによるユーザＩＤの入力を受け付ける（ステップＳ３５）。サムネイル画像保管サーバ１４は、注文受付装置４０に入力されたユーザＩＤに対応するフォルダからサムネイル画像データＳＭｉを読み出してサムネイル画像の一覧を生成する（ステップＳ３６）。注文受付装置４０はサムネイル画像の一覧をモニタ４１に表示する（ステップＳ３７）。
【００４０】
ユーザはサムネイル画像の一覧を見ながら、焼き増し注文を所望する画像データを選択してモニタ４１にタッチしてその画像データを指定する。そして、注文受付装置４０は、ユーザによる焼き増し注文を所望する画像データの指定を受け付けたか否かの監視を開始し（ステップＳ３８）、ステップＳ３８が肯定されると、メディアセット手段４５が、指定された画像データに対応するメディアＩＤがプリントされたメディアＭをメディア保持手段４３から取り出して、メディアドライブ４２にセットする（ステップＳ３９）。そして、メディアドライブ４２が指定された画像データをメディアＭから読み出して、画像保管サーバ１３経由でデジタルミニラボ１２に送信する（ステップＳ４０）。デジタルミニラボ１２は受信した画像データをプリンタ１２Ｂからプリント出力する（ステップＳ４１）。そして、他にも選択された画像データがあるか否かを判定し（ステップＳ４２）、ステップＳ４２が肯定されるとステップＳ３７に戻り、ステップＳ３８以降の処理を繰り返す。ステップＳ４２が否定されると処理を終了する。
【００４１】
このように、第２の実施形態においては、複数のメディアＭをメディア保持手段４３にセットしておき、複数のメディアのそれぞれに記録されたメディアＩＤを読み取ってメディアＩＤを認識し、プリント注文を所望する画像データに対応する低解像度画像データに関連付けられたメディアＩＤおよびメディアＩＤ認識手段４４による認識結果を参照して、指定された画像データが記録されたメディアをメディアセット手段４５がメディア保持手段４３から取り出してメディアドライブ４２にセットしているため、プリント注文時にメディアＭをメディアドライブにセットする作業を行う必要がなくなり、これにより、より容易にプリント注文を行うことができる。
【００４２】
なお、上記第２の実施形態においては、メディアＩＤをバーコードとしてメディアＭにプリントしてもよい。この場合、メディアＩＤ認識手段４４としてバーコードリーダーを用いることができる。
【００４３】
また、上記第１および第２の実施形態においては、ネガフイルムＮ１から読み取った画像データＳｉをメディアＭに記録しているが、デジタルカメラにより取得した画像データを記録したメモリカードを写真店１に渡して、写真店１においてメモリカードに記録された画像データをメディアＭに記録するサービスを提供する場合にも、上記と同様にメディアＭにメディアＩＤをプリントし、メモリカードから読み出した画像データのサムネイル画像データを、そのタグ情報にメディアＩＤを記述して保管してもよい。この場合、メディアＩＤとしては写真店１が設定した任意の番号や記号を用いることができる。
【００４４】
また、上記第１の実施形態においては、写真店１の店頭に設置された注文受付装置２０を用いての焼き増し注文を受け付けているが、図９に示す第３の実施形態による画像記録システムのように、写真店１にウェブサーバ１７を設置し、ユーザが自身のパソコン３からインターネット２を経由して写真店１に対して焼き増し注文を行うようにしてもよい。
【００４５】
この場合、焼き増し注文の処理は以下のように行われる。すなわち、ユーザがパソコン３から写真店１のウェブサーバ１７にアクセスして焼き増し注文を行うべくユーザＩＤをウェブサーバ１７に送信すると、サムネイル画像保管サーバ１４が上記第１の実施形態と同様にサムネイル画像の一覧を生成する。ウェブサーバ１７はサムネイル画像の一覧をパソコン３に送信する。ユーザはパソコン３に表示されたサムネイル画像の一覧を見て、焼き増しプリントを所望する画像データがどのメディアＭに記録されているかを容易に認識できる。
【００４６】
そして、焼き増し注文を所望する画像データが記録されたメディアＭをパソコン３のメディアドライブ（不図示）にセットして、その画像データを読み出し、読み出した画像データをウェブサーバ１７に送信する。ウェブサーバ１７は画像データを受信し、これを画像保管サーバ１３経由でデジタルミニラボ１２に送信してプリント出力する。
【図面の簡単な説明】
【図１】本発明の第１の実施形態による画像記録システムの構成を示す概略ブロック図
【図２】メディアＩＤをプリントしたメディアの例を示す図
【図３】モニタに表示されるサムネイル画像の一覧を示す図
【図４】第１の実施形態において同時プリント時に行われる処理を示すフローチャート
【図５】第１の実施形態において焼き増し注文時に行われる処理を示すフローチャート
【図６】サムネイル画像データの記録態様を説明するための図
【図７】本発明の第２の実施形態における画像記録システムに用いられる注文受付装置の構成を示す概略ブロック図
【図８】第２の実施形態において焼き増し注文時に行われる処理を示すフローチャート
【図９】本発明の第３の実施形態による画像記録システムの構成を示す概略ブロック図
【符号の説明】
１    写真店
１１    フイルム現像機
１２    デジタルミニラボ
１３    画像保管サーバ
１４    サムネイル画像保管サーバ
１５，２２，４２    メディアドライブ
１６    ＩＤプリンタ
１７    ウェブサーバ
２０，４０    注文受付装置
２１，４１    モニタ
４３    メディア保持手段
４４    メディアＩＤ認識手段
４５    メディアセット手段
【図１】
2004287772.tif 000003
【図２】
2004287772.tif 000004
【図３】
2004287772.tif 000005
【図４】
2004287772.tif 000006
【図５】
2004287772.tif 000007
【図６】
2004287772.tif 000008
【図７】
2004287772.tif 000009
【図８】
2004287772.tif 000010
【図９】
2004287772.tif 000011